【手続補正書】
【提出日】平成22年11月16日(2010.11.16)
【手続補正１】
【補正対象書類名】特許請求の範囲
【補正対象項目名】全文
【補正方法】変更
【補正の内容】
【特許請求の範囲】
【請求項１】
画像処理のアプリケーション及び前記アプリケーションのライセンス情報をインストールするインストール手段と、
前記インストール手段においてインストールされた前記ライセンス情報に含まれる前記アプリケーションの動作制限情報を、閾値情報に設定する情報設定手段と、
前記アプリケーションの動作情報をカウントするカウント手段と、
前記情報設定手段において設定された閾値情報及び前記カウント手段においてカウントされた動作情報に応じて、前記アプリケーションの動作を制限するアプリケーション動作制限手段と、
前記アプリケーションを再インストールする再インストール手段と、
前記再インストール手段において再インストールされた前記アプリケーションの前記ライセンス情報に含まれる前記アプリケーションの動作制限情報を、前記閾値情報に設定しないよう制御する情報設定制御手段と、
を有することを特徴とする画像処理装置。
【請求項２】
アプリケーションのライセンス情報に含まれる前記動作制限情報は、前記アプリケーションの有効期限であり、
前記情報設定手段は、前記インストール手段においてインストールされた前記ライセンス情報に含まれる前記アプリケーションの有効期限を動作制限情報として閾値情報に設定し、
前記カウント手段は、前記動作情報として前記アプリケーションの利用日数をカウントし、
前記アプリケーション動作制限手段は、前記アプリケーションの有効期限及び前記アプリケーションの利用日数に応じて、前記アプリケーションの動作を制限することを特徴とする請求項１に記載の画像処理装置。
【請求項３】
アプリケーションのライセンス情報に含まれる前記動作制限情報は、前記アプリケーションの機能の上限動作回数であり、
前記情報設定手段は、前記インストール手段においてインストールされた前記ライセンス情報に含まれる前記アプリケーションの機能の上限動作回数を動作制限情報として閾値情報に設定し、
前記カウント手段は、前記動作情報として前記アプリケーションの機能の動作回数をカウントし、
前記アプリケーション動作制限手段は、前記アプリケーションの機能の上限動作回数及び前記アプリケーションの機能の動作回数に応じて、前記アプリケーションの動作を制限することを特徴とする請求項１に記載の画像処理装置。
【請求項４】
アプリケーションの起動に関する動作不良を検知する検知手段と、
前記検知手段において前記アプリケーションの起動に関する動作不良が検知された場合、アプリケーションをアンインストールするアンインストール手段と、
を更に有し、
前記再インストール手段は、前記アンインストール手段においてアンインストールされたアプリケーションを再インストールすることを特徴とする請求項１乃至３の何れか１項に記載の画像処理装置。
【請求項５】
画像処理装置が実行する再インストール方法であって、
画像処理のアプリケーション及び前記アプリケーションのライセンス情報をインストールするインストールステップと、
前記インストールステップにおいてインストールされた前記ライセンス情報に含まれる前記アプリケーションの動作制限情報を、閾値情報に設定する情報設定ステップと、
前記アプリケーションの動作情報をカウントするカウントステップと、
前記情報設定ステップにおいて設定された閾値情報及び前記カウントステップにおいてカウントされた動作情報に応じて、前記アプリケーションの動作を制限するアプリケーション動作制限ステップと、
前記アプリケーションを再インストールする再インストールステップと、
前記再インストールステップにおいて再インストールされた前記アプリケーションの前記ライセンス情報に含まれる前記アプリケーションの動作制限情報を、前記閾値情報に設定しないよう制御する情報設定制御ステップと、
を含むことを特徴とする再インストール方法。
【請求項６】
アプリケーションのライセンス情報に含まれる前記動作制限情報は、前記アプリケーションの有効期限であり、
前記情報設定ステップでは、前記インストールステップにおいてインストールされた前記ライセンス情報に含まれる前記アプリケーションの有効期限を動作制限情報として閾値情報に設定し、
前記カウントステップでは、前記動作情報として前記アプリケーションの利用日数をカウントし、
前記アプリケーション動作制限ステップでは、前記アプリケーションの有効期限及び前記アプリケーションの利用日数に応じて、前記アプリケーションの動作を制限することを特徴とする請求項５に記載の再インストール方法。
【請求項７】
アプリケーションのライセンス情報に含まれる前記動作制限情報は、前記アプリケーションの機能の上限動作回数であり、
前記情報設定ステップでは、前記インストールステップにおいてインストールされた前記ライセンス情報に含まれる前記アプリケーションの機能の上限動作回数を動作制限情報として閾値情報に設定し、
前記カウントステップでは、前記動作情報として前記アプリケーションの機能の動作回数をカウントし、
前記アプリケーション動作制限ステップでは、前記アプリケーションの機能の上限動作回数及び前記アプリケーションの機能の動作回数に応じて、前記アプリケーションの動作を制限することを特徴とする請求項５に記載の再インストール方法。
【請求項８】
アプリケーションの起動に関する動作不良を検知する検知ステップと、
前記検知ステップにおいて前記アプリケーションの起動に関する動作不良が検知された場合、アプリケーションをアンインストールするアンインストールステップと、
を更に含み、
前記再インストールステップでは、前記アンインストールステップにおいてアンインストールされたアプリケーションを再インストールすることを特徴とする請求項５乃至７の何れか１項に記載の再インストール方法。
【請求項９】
請求項５乃至８の何れか１項に記載の再インストール方法の各ステップをコンピュータに実行させることを特徴とするプログラム。
【請求項１０】
請求項９に記載のプログラムを記憶したコンピュータにより読み取り可能な記憶媒体。
【請求項１１】
画像処理のアプリケーションであって、ライセンス情報を基に動作が制限される前記アプリケーションをインストールするインストール手段と、
前記アプリケーションの前記ライセンス情報に含まれる動作上限値を格納する格納手段と、
前記アプリケーションの動作回数をカウントするカウント手段と、
前記格納手段により格納された動作上限値と、前記カウント手段によりカウントされた動作回数とを基に、前記アプリケーションの動作を制限する動作制限手段と、
を有し、
前記動作制限手段は、前記アプリケーションの再インストールが行われた場合、前記再インストールされたアプリケーションの識別情報と一致する前記格納手段に格納されている動作上限値を利用し、前記再インストールされたアプリケーションの動作を制限することを特徴とする画像処理装置。
【手続補正２】
【補正対象書類名】明細書
【補正対象項目名】００１０
【補正方法】変更
【補正の内容】
【００１０】
そこで、本発明の画像処理装置は、画像処理のアプリケーション及び前記アプリケーションのライセンス情報をインストールするインストール手段と、前記インストール手段においてインストールされた前記ライセンス情報に含まれる前記アプリケーションの動作制限情報を、閾値情報に設定する情報設定手段と、前記アプリケーションの動作情報をカウントするカウント手段と、前記情報設定手段において設定された閾値情報及び前記カウント手段においてカウントされた動作情報に応じて、前記アプリケーションの動作を制限するアプリケーション動作制限手段と、前記アプリケーションを再インストールする再インストール手段と、前記再インストール手段において再インストールされた前記アプリケーションの前記ライセンス情報に含まれる前記アプリケーションの動作制限情報を、前記閾値情報に設定しないよう制御する情報設定制御手段と、を有することを特徴とする。
【手続補正３】
【補正対象書類名】明細書
【補正対象項目名】００１１
【補正方法】変更
【補正の内容】
【００１１】
また、本発明は、画像処理装置が実行する再インストール方法であって、画像処理のアプリケーション及び前記アプリケーションのライセンス情報をインストールするインストールステップと、前記インストールステップにおいてインストールされた前記ライセンス情報に含まれる前記アプリケーションの動作制限情報を、閾値情報に設定する情報設定ステップと、前記アプリケーションの動作情報をカウントするカウントステップと、前記情報設定ステップにおいて設定された閾値情報及び前記カウントステップにおいてカウントされた動作情報に応じて、前記アプリケーションの動作を制限するアプリケーション動作制限ステップと、前記アプリケーションを再インストールする再インストールステップと、前記再インストールステップにおいて再インストールされた前記アプリケーションの前記ライセンス情報に含まれる前記アプリケーションの動作制限情報を、前記閾値情報に設定しないよう制御する情報設定制御ステップと、を含むことを特徴とする。